(57)【要約】【課題】緩衝材の強度を下げることなく確実にドラム式洗濯機を保護し、同時に美観も損ねない、優れたドラム式洗濯機の梱包装置を実現する。【解決手段】上部箱体４の天面に第１の持ち手穴７を配置し、当接する第１の緩衝材２にくぼみ９を配置したものであり、上部箱体４の側面に持ち手穴がないので、製品を積み上げても、持ち手穴による強度低下がなく、梱包状態でドラム式洗濯機１の外観が見えることがない。くぼみ９は製品の天面に向かって開口するので、梱包装置内に異物が侵入しても、ドラム式洗濯機１に付着することがないので、美観をそこねることがない。【選択図】図１
2010172639.tif 000002
【特許請求の範囲】
【請求項１】
有底円筒形に形成された回転ドラムを、開口する正面側から底部となる背面側に向けて回転軸方向が水平または水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機を保護する梱包装置であって、持ち手穴を備えドラム式洗濯機を収納する箱体と、前記ドラム式洗濯機と前記箱体とにはさんだ緩衝材とを備え、前記箱体の天面に第１の持ち手穴を配置するとともに、前記箱体の底部に第２の持ち手穴を配置し、前記第１の持ち手穴に当接する前記緩衝材にくぼみを配置することを特徴とするドラム式洗濯機の梱包装置。
【請求項２】
前記第１の持ち手穴は、前記箱体の天面に配置したフラップを折り曲げて開口する構成であって、前記フラップを前記くぼみに当接するまで折り曲げたとき、折り曲げ角度が９０度以上となるように配置したことを特徴とする請求項１記載のドラム式洗濯機の梱包装置。
【請求項３】
前記第１の持ち手穴と前記第２の持ち手穴とを結ぶ線ないし面に対し、前記ドラム式洗濯機の重心が下に位置するように配置したことを特徴とする請求項１または２に記載のドラム式洗濯機の梱包装置。
【発明の詳細な説明】
【技術分野】
【０００１】
本発明はドラム式洗濯機の梱包装置に関するものである。
【背景技術】
【０００２】
従来、この種の梱包装置においては、包装箱と被包装材との間に異物が入らないように、包装箱の側面に開けた持ち手穴を緩衝材に開けた穴に連通させるなどしていた（例えば、特許文献１参照）。
【０００３】
図３は、従来の一般的な梱包装置の構成説明図を示す。図３において包装箱１１１と被包装材１１２との間に緩衝材１１３を配置していた。包装箱１１１の側面には運搬用の持ち手穴１１４をあけ、緩衝材１１３に開けた穴１１５に連通させていた。
【特許文献１】特開平８−２３３８０２号公報
【発明の開示】
【発明が解決しようとする課題】
【０００４】
しかしながら、従来の従来の梱包装置では、緩衝材１１３に穴を開けることによって、緩衝材自体の強度が低下し、ドラム式洗濯機などの重量物を梱包するためには、緩衝材１１３を大型化しなければならないなど、設計がしにくかった。
【０００５】
また、包装箱１１１の持ち手穴１１４と、緩衝材１１３に開けた穴１１５を連通させるため、包装状態にて被包装材１１２の外郭の一部が見えてしまう。ドラム式洗濯機などの付加価値製品の梱包には、美観をそこねる梱包装置は向かないという課題があった。
【０００６】
また、包装箱１１１側面に持ち手穴１１４がある場合、包装箱１１１の強度が持ち手穴１１４によって低下し、特にドラム式洗濯機などの重量物を梱包するためには、包装箱１１１の材質や寸法をより強度のあるものにしなければならないという課題があった。
【０００７】
また、近年、ドラム式洗濯機の機能はさらに多機能になり、ヒートポンプ乾燥装置など、大型で重量の大きい部品を内包するため、梱包状態の寸法が大きく、重量も重くなるので、持ち運びがしにくいという問題があった。
【０００８】
本発明は、前記従来の課題を解決するもので、包装箱の天面に持ち手穴を配置し、当接する緩衝材にくぼみを配置し、緩衝材の強度を下げることなく確実にドラム式洗濯機を保護し、同時に美観も損ねない、優れたドラム式洗濯機の梱包装置を提供することにある。
【課題を解決するための手段】
【０００９】
箱体の天面に第１の持ち手穴を配置するとともに、前記箱体の底部に第２の持ち手穴を配置し、前記第１の持ち手穴に当接する緩衝材にくぼみを配置することにより、製品を斜めにして持ち運びすることができるようになり、階段やどうかを移動する際、製品を高く持ち上げることなく、容易に運搬することができ、箱体側面に持ち手穴を開けなくてよいので、強度が低下したり、梱包状態でドラム式洗濯機の外観が見えることを防止することができ、外部から侵入する異物はくぼみで受けるので、ドラム式洗濯機表面に付着することがなく、優れた外観を維持することができる。
【００１０】
また、天面の持ち手と、底部の持ち手とを結んだ線または面より、ドラム式洗濯機の重心を、下方に配置したものである。これにより、包装箱の天面に持ち手穴を配置しても、確実に持ち運ぶことできるようになる。
【発明の効果】
【００１１】
本発明の梱包装置は、重量物のドラム式洗濯機の梱包設計を容易にし、付加価値商品の梱包に適した、外観のよい梱包装置を実現することができる。
【発明を実施するための最良の形態】
【００１２】
第１の発明は、持ち手穴を備えドラム式洗濯機を収納する箱体と、前記ドラム式洗濯機と前記箱体とにはさんだ緩衝材とを備え、前記箱体の天面に第１の持ち手穴を配置するとともに、前記箱体の底部に第２の持ち手穴を配置し、前記第１の持ち手穴に当接する前記緩衝材にくぼみを配置することにより、製品を斜めにして持ち運びすることができるようになり、階段やどうかを移動する際、製品を高く持ち上げることなく、容易に運搬することができ、箱体側面に持ち手穴を開けなくてよいので、強度が低下したり、梱包状態でドラム式洗濯機の外観が見えることを防止することができ、外部から侵入する異物はくぼみで受けるので、ドラム式洗濯機表面に付着することがなく、優れた外観を維持することができる。
【００１３】
第２の発明は、前記第１の持ち手穴は、前記箱体の天面に配置したフラップを折り曲げて開口する構成であって、前記フラップを前記くぼみに当接するまで折り曲げたとき、折り曲げ角度が９０度以上となるように配置したことにより、指先の力がフラップとくぼみに分散されるため、フラップやくぼみが破損しにくくなり、同時に指先にかかる製品重量も分散されるので指が痛くなることなく、運搬を容易にすることができる。
【００１４】
第３の発明は、前記第１の持ち手穴と前記第２の持ち手穴とを結ぶ線ないし面に対し、前記ドラム式洗濯機の重心が下に位置するように配置したにより、運搬時に製品が安定するので容易に運搬することができる。
【００１５】
以下、本発明の実施の形態について、図面を参照しながら説明する。なお、この実施の形態によって本発明が限定されるものではない。
【００１６】
（実施の形態１）
図１は本発明の実施の形態１における梱包装置の外観斜視図、図２は持ち手穴と緩衝材の一部断面を示す要部詳細図である。
【００１７】
図１および図２において、ドラム式洗濯機１の上方に、圧縮、衝撃からドラム式洗濯機１を保護する第１の緩衝材２がある。これにより製品を複数段、積み上げたり、製品の上に乗られたりするときの上方からの荷重や、製品の積み下ろし時や、誤って横倒しにされるときなどの前後左右方向からの衝撃を吸収している。ドラム式洗濯機１の底部には、製品が落下したときの衝撃を吸収する第２の緩衝材３がある。さらに第１の緩衝材２に接し、ドラム式洗濯機１のほぼ全体を収納する上部箱体４がある。第２の緩衝材３の下には、第２の緩衝材３に接し、ドラム式洗濯機１の底部全体をほぼ覆う、底部箱体５がある。上部箱体４と底部箱体５とは、その周囲を縦、横方向にかけたプラスチック製のバンド６により締結している。ドラム式洗濯機１は、洗濯物を出し入れしやすいように、ドラムが傾斜しているため、それにあわせて外観も傾斜していて、底部と上部とは、面積が異なっている。この例では、上部が底部より面積が小さい。製品が積み上げられたとき、荷重の受け面が前後で不均一になり、この例ではドラム式洗濯機１の上部前面の荷重をドラム式洗濯機１で受けることができず、上部箱体４が前方に向けて座屈しやすくなる。このため、補強材７をドラム式洗濯機１の左右にそれぞれ配置している。
【００１８】
第１の緩衝材２は、比較的軽量の発泡スチロールでできている。ドラム式洗濯機１の正面から見て左右に分かれて配置していて、左右ほぼ対称の形状をしている。第２の緩衝材
も、同様に左右分かれて配置している。第１の緩衝材２と第２の緩衝材３とは、部品製作時、それぞれ左右一体で成型され、ドラム式洗濯機１に組み付ける際、中央で分離して左右に分けるようにしている。上方箱体４と、底部箱体５とは、それぞれダンボールを打ち抜き、折り曲げ加工、接着により製造する。バンド６はポリプロピレンによってできている。ポリプロピレンのバンド６は、引っ張り応力に対し、発泡スチロールやダンボールより強くなるように設計している。
【００１９】
第１の持ち手穴７は上部箱体４の天面の一部を、フラップ８として折り曲げることによって形成している。第１の持ち手穴７に当接する部分の第１の緩衝材２には、くぼみ９がある。第１の持ち手穴７が、くぼみ９の上方にあるので、くぼみ９は、上方に向かって開口する。くぼみ９の縦、横の長さは、第１の持ち手穴７の縦、横の長さよりそれぞれ長くし、フラップ８が入るスペースを持つとともに、９０度以上、折り曲がるようにしている。底部箱体５に開けた第２の持ち手穴１０、および第２の緩衝材３も同様の構成にして、それぞれフラップ（図示せず）とくぼみ（図示せず）を配置している。
【００２０】
第１の持ち手穴２を天面に配置し、第２の持ち手穴１０を底部に配置することにより、製品を梱包状態で運ぶとき、製品を斜めにして持ち運びすることができるようになる。近年、ドラム式洗濯機は高付加価値商品として多様な機能、たとえばヒートポンプによる省エネ乾燥機能などを追加するため、製品は大きく、かつ重くなっている。２人で運ぶとき、製品を斜めにすることができると、階段や廊下を移動する際、製品を高く持ち上げることなく、容易に運搬することが可能になる。また、フラップ８の折り曲げ角度が９０度以上に曲がるため指が確実にかかり、容易に運搬することが可能になる。
【００２１】
バンド６は、第１の持ち手穴８と第２の持ち手穴１０との近傍を通るようにしている。これにより、運搬時、フラップ８部に力が加わるとき、フラップ８が第１の緩衝材２から離れることがない。このため、フラップ８は、くぼみ９の壁面に確実に当たるようにしている。バンド６の引っ張り強度は、上部箱体４、第１の緩衝材２よりも大きいため、フラップ８に大きな荷重がかかっても、フラップ８、くぼみ９とも破損することがなく、安全に運搬できる。
【００２２】
フラップ８がくぼみ９の壁面に当たっているので、指先の力がフラップ８とくぼみ９とにそれぞれ分散される。このため、フラップ８の強度と第１の緩衝材２の強度とを、あまり大きくしなくてよいので、設計が容易であるとともに、指に加わる製品重量も分散されるので、指が痛くならず、運搬が容易である。
【００２３】
第１の持ち手穴７は天面、第２の持ち手穴１０は底部にあるため、上部箱体４の側面に開口部がないので、運搬時にフラップ８を折り曲げても、ドラム式洗濯機１の外観が見えたりするなど、外観上の美観を損ねることがなく、同時に、製品が積み上げられたときも、穴による上部箱体４の強度低下の恐れがないので、設計が容易である。
【００２４】
第１の持ち手穴７は、くぼみ８に当接し、くぼみ８は上方に向かって開口するので、埃などの異物が第１の持ち手穴７を通って外部から侵入する場合、くぼみ８にたまるだけで、ドラム式洗濯機１には付着しない。このため、流通段階で異物が侵入することがなく、ドラム式洗濯機１の美観を損ねることがない。
【００２５】
本実施例のドラム式洗濯機１は、質量の重いヒートポンプ乾燥装置（図示せず）を製品背面に配置しており、重心１１は、中心よりドラム式洗濯機１の背面側にずれている。第１の持ち手穴７と第２の持ち手穴１０と、重心１１との関係は、第１の持ち手穴７と第２の持ち手穴とを結んだ線より、重心１１の位置が下になるように、それぞれは位置している。
【００２６】
このため、運搬時に製品が安定するので、容易に運搬することが可能である。
【００２７】
くぼみ９の側壁は、製品の天面に向かって部品が後退する向きに傾斜をつけている。第１の緩衝材２のその他の側面も、同様に天面に向かって部品が後退する向きに傾斜をつけている。このため、第１の緩衝材２の成型時、金型を抜く方向に鈍角にすることができるので、金型との離型が容易になり、製造しやすい。
【００２８】
底部箱体５に開けた第２の持ち手穴１０のフラップ（図示せず）、および第２の緩衝材３のくぼみ（図示せず）も同様の構成であり、同様の効果を有するが、説明は省略する。
【産業上の利用可能性】
【００２９】
以上のように、本発明にかかるドラム式洗濯機の梱包装置は、緩衝材の強度を下げることなく確実にドラム式洗濯機を保護し、同時に美観もそこねないことが可能となるので、重量が重く、付加価値が高いドラム式洗濯機の梱包装置等として有用である。
【図面の簡単な説明】
【００３０】
【図１】本発明の実施の形態１のドラム式洗濯機の梱包装置の外観斜視図
【図２】同ドラム式洗濯機の梱包装置の要部詳細図
【図３】従来の梱包装置の構成説明図
【符号の説明】
【００３１】
１  ドラム式洗濯機
２  第１の緩衝材
３  第２の緩衝材
４  上部箱体
５  底部箱体
６  バンド
７  第１の持ち手穴
８  フラップ
９  くぼみ
１０  第２の持ち手穴
１１  重心
【図１】
2010172639.tif 000003
【図２】
2010172639.tif 000004
【図３】
2010172639.tif 000005